【手続補正書】
【提出日】平成26年12月12日(2014.12.12)
【手続補正１】
【補正対象書類名】明細書
【補正対象項目名】００３７
【補正方法】変更
【補正の内容】
【００３７】
（実施例１）
図１のように、繊維総重量７００ｋｇ、静摩擦係数０．１０、総繊度４００００ｄｔｅｘのポリアクリロニトリル系繊維が円筒状ボビンに巻回されたパッケージを、接地点数が１０箇所、接地点面積率が３．７％、接地箇所を表すｂ／ａ（ａ＝１２２５ｍｍ、ｂ＝４９０ｍｍ）が０．４０であるパレットに固定した梱包体を設計した。この梱包体を用いて、前記の梱包体安定性評価を実施したところ、パレットからのパッケージの脱落は無く、パッケージの繊維の端面および側面には毛羽が無く、品位が良好であった。またパレットのスチールバンド外れ、スチールバンドボルトの緩み、パッケージのボビンが回転するといったことも無かった。
【手続補正２】
【補正対象書類名】明細書
【補正対象項目名】００３８
【補正方法】変更
【補正の内容】
【００３８】
（実施例２）
図１のように、繊維総重量９００ｋｇ、静摩擦係数０．１０、総繊度４００００ｄｔｅｘのポリアクリロニトリル系繊維が円筒状ボビンに巻回されたパッケージを、接地点数が１０箇所、接地点面積率が３．７％、接地箇所を表すｂ／ａ（ａ＝１２２５ｍｍ、ｂ＝４９０ｍｍ）が０．４０であるパレットに固定した梱包体を設計した。この梱包体を用いて、前記の梱包体安定性評価を実施したところ、パレットからのパッケージの脱落は無く、パッケージの繊維の端面および側面には毛羽が無く、品位が良好であった。またパレットのスチールバンド外れ、スチールバンドボルトの緩み、パッケージのボビンが回転するといったことも無かった。
【手続補正３】
【補正対象書類名】明細書
【補正対象項目名】００３９
【補正方法】変更
【補正の内容】
【００３９】
（実施例３）
図１のように、繊維総重量３００ｋｇ、静摩擦係数０．１０、総繊度４００００ｄｔｅｘのポリアクリロニトリル系繊維が円筒状ボビンに巻回されたパッケージを、接地点数が１０箇所、接地点面積率が３．７％、接地箇所を表すｂ／ａ（ａ＝１２２５ｍｍ、ｂ＝４９０ｍｍ）が０．４０であるパレットに固定した梱包体を設計した。この梱包体を用いて、前記の梱包体安定性評価を実施したところ、パレットからのパッケージの脱落は無く、パッケージの繊維の端面および側面には毛羽が無く、品位が良好であった。またパレットのスチールバンド外れ、スチールバンドボルトの緩み、パッケージのボビンが回転するといったことも無かった。
【手続補正４】
【補正対象書類名】明細書
【補正対象項目名】００４０
【補正方法】変更
【補正の内容】
【００４０】
（比較例１）
図１のように、繊維総重量１５００ｋｇ、静摩擦係数０．１０、総繊度４００００ｄｔｅｘのポリアクリロニトリル系繊維が円筒状ボビンに巻回されたパッケージを、接地点数が１０箇所、接地点面積率が３．７％、接地箇所を表すｂ／ａ（ａ＝１２２５ｍｍ、ｂ＝４９０ｍｍ）が０．４０であるパレットに固定した梱包体を設計した。この梱包体を用いて、前記の梱包体安定性評価を実施したところ、梱包体が大きく振動し、パレットのスチールバンドやスチールバンドボルトが外れ、パッケージが脱落し、パッケージの側面および端面で毛羽が発生した。
【手続補正５】
【補正対象書類名】明細書
【補正対象項目名】００４１
【補正方法】変更
【補正の内容】
【００４１】
（実施例４）
図１のように、繊維総重量７００ｋｇ、静摩擦係数０．４０、総繊度４００００ｄｔｅｘのポリアクリロニトリル系繊維が円筒状ボビンに巻回されたパッケージを、接地点数が１０箇所、接地点面積率が３．７％、接地箇所を表すｂ／ａ（ａ＝１２２５ｍｍ、ｂ＝４９０ｍｍ）が０．４０であるパレットに固定した梱包体を設計した。この梱包体を用いて、前記の梱包体安定性評価を実施したところ、パレットからのパッケージの脱落は無く、パッケージの繊維の端面および側面には毛羽が無く、品位が良好であった。またパレットのスチールバンド外れ、スチールバンドボルトの緩み、パッケージのボビンが回転するといったことも無かった。
【手続補正６】
【補正対象書類名】明細書
【補正対象項目名】００４２
【補正方法】変更
【補正の内容】
【００４２】
（比較例２）
図１のように、繊維総重量７００ｋｇ、静摩擦係数０．０２、総繊度４００００ｄｔｅｘのポリアクリロニトリル系繊維が円筒状ボビンに巻回されたパッケージを、接地点数が１０箇所、接地点面積率が３．７％、接地箇所を表すｂ／ａ（ａ＝１２２５ｍｍ、ｂ＝４９０ｍｍ）が０．４０であるパレットに固定した梱包体を設計した。この梱包体を用いて、前記の梱包体安定性評価を実施したところ、パレットからのパッケージの脱落は無く、パレットのスチールバンド外れ、スチールバンドボルトの緩み、パッケージのボビンが回転するといったことも無かった。しかし、パッケージ繊維側面上の糸が端面にずり落ち、その結果パッケージの側面および端面で毛羽が発生した。
【手続補正７】
【補正対象書類名】明細書
【補正対象項目名】００４３
【補正方法】変更
【補正の内容】
【００４３】
（実施例５）
図１のように、繊維総重量７００ｋｇ、静摩擦係数０．１０、総繊度４００００ｄｔｅｘのポリアクリロニトリル系繊維が円筒状ボビンに巻回されたパッケージを、接地点数が３箇所、接地点面積率が３．０％、接地箇所を表すｂ／ａ（ａ＝１２２５ｍｍ、ｂ＝３６８ｍｍ）が０．３０であるパレットに固定した梱包体を設計した。この梱包体を用いて、前記の梱包体安定性評価を実施したところ、パレットからのパッケージの脱落は無く、パッケージの繊維の端面および側面には毛羽が無く、品位が良好であった。またパレットのスチールバンドが外れるといったことやパッケージのボビンが回転するといったことも無かった。しかし梱包体に摩擦力が十分に働かず、振動を吸収できなかったため、スチールバンドボルトに緩みが生じた。
【手続補正８】
【補正対象書類名】明細書
【補正対象項目名】００４４
【補正方法】変更
【補正の内容】
【００４４】
（実施例６）
図１のように、繊維総重量７００ｋｇ、静摩擦係数０．４０、総繊度４００００ｄｔｅｘのポリアクリロニトリル系繊維が円筒状ボビンに巻回されたパッケージを、接地点数が１２箇所、接地点面積率が２８．５％、接地箇所を表すｂ／ａ（ａ＝１２２５ｍｍ、ｂ＝４９０ｍｍ）が０．４０であるパレットに固定した梱包体を設計した。この梱包体を用いて、前記の梱包体安定性評価を実施したところ、パレットからのパッケージの脱落は無く、パッケージの繊維の端面および側面には毛羽が無く、品位が良好であった。またパレットのスチールバンド外れ、スチールバンドボルトの緩み、パッケージのボビンが回転するといったことも無かった。
【手続補正９】
【補正対象書類名】明細書
【補正対象項目名】００４５
【補正方法】変更
【補正の内容】
【００４５】
（実施例７）
図１のように、繊維総重量７００ｋｇ、静摩擦係数０．１０、総繊度４００００ｄｔｅｘのポリアクリロニトリル系繊維が円筒状ボビンに巻回されたパッケージを、接地点数が１箇所、接地点面積率が８．９％、接地箇所を表すｂ／ａが０．８０（ａ＝１２２５ｍｍ、ｂ＝９８０ｍｍ）であるパレットに固定した梱包体を設計した。この梱包体を用いて、前記の梱包体安定性評価を実施したところ、パレットからのパッケージの脱落は無く、パッケージの繊維の端面には毛羽が３個、側面には毛羽が２個しかなく、品位が良好であり、パレットのスチールバンドが外れるといったことも無かった。しかし梱包体に摩擦力が十分に働かず、振動を吸収できなかったため、パッケージが回転し、スチールバンドボルトに緩みが生じた。
【手続補正１０】
【補正対象書類名】明細書
【補正対象項目名】００４６
【補正方法】変更
【補正の内容】
【００４６】
（実施例８）
図１のように、繊維総重量７００ｋｇ、静摩擦係数０．１０、総繊度４００００ｄｔｅｘのポリアクリロニトリル系繊維が円筒状ボビンに巻回されたパッケージを、接地点数が１２箇所、接地点面積率が３０．０％、接地箇所を表すｂ／ａ（ａ＝１２２５ｍｍ、ｂ＝４９０ｍｍ）が０．４０であるパレットに固定した梱包体を設計した。この梱包体を用いて、前記の梱包体安定性評価を実施したところ、パレットからのパッケージの脱落は無く、パッケージの繊維の端面および側面には毛羽が無く、品位が良好であった。またパレットのスチールバンド外れ、スチールバンドボルトの緩み、パッケージのボビンが回転するといったことも無かった。
【手続補正１１】
【補正対象書類名】明細書
【補正対象項目名】００４７
【補正方法】変更
【補正の内容】
【００４７】
（実施例９）
図１のように、繊維総重量７００ｋｇ、静摩擦係数０．１０、総繊度４００００ｄｔｅｘのポリアクリロニトリル系繊維が円筒状ボビンに巻回されたパッケージを、接地点数が４箇所、接地点面積率が２．０％、接地箇所を表すｂ／ａが０．８０（ａ＝１２２５ｍｍ、ｂ＝９８０ｍｍ）であるパレットに固定した梱包体を設計した。この梱包体を用いて、前記の梱包体安定性評価を実施したところ、パレットからのパッケージの脱落は無く、パッケージの繊維の端面には毛羽が２個、側面には毛羽が１個しかなく、品位が良好であり、パレットのスチールバンドが外れるといったことも無かった。しかし梱包体に摩擦力が十分に働かず、振動を吸収できなかったため、パッケージが回転し、スチールバンドボルトに緩みが生じた。
【手続補正１２】
【補正対象書類名】明細書
【補正対象項目名】００４８
【補正方法】変更
【補正の内容】
【００４８】
（実施例１０）
図１のように、繊維総重量７００ｋｇ、静摩擦係数０．１０、総繊度４００００ｄｔｅｘのポリアクリロニトリル系繊維が円筒状ボビンに巻回されたパッケージを、接地点数が１０箇所、接地点面積率が３．７％、接地箇所を表すｂ／ａが０．１０（ａ＝１２２５ｍｍ、ｂ＝１２３ｍｍ）であるパレットに固定した梱包体を設計した。この梱包体を用いて、前記の梱包体安定性評価を実施したところ、パレットからのパッケージの脱落は無く、パッケージの繊維の端面および側面には毛羽が無く、品位が良好であった。またパレットのスチールバンドが外れるといったことやパッケージのボビンが回転するといったことも無かった。しかし梱包体に摩擦力が十分に働かず、振動を吸収できなかったため、スチールバンドボルトに緩みが生じた。
【手続補正１３】
【補正対象書類名】明細書
【補正対象項目名】００４９
【補正方法】変更
【補正の内容】
【００４９】
（実施例１１）
図１のように、繊維総重量７００ｋｇ、静摩擦係数０．１０、総繊度４００００ｄｔｅｘのポリアクリロニトリル系繊維が円筒状ボビンに巻回されたパッケージを、接地点数が１０箇所、接地点面積率が３０％、接地箇所を表すｂ／ａが０．０５（ａ＝１２２５ｍｍ、ｂ＝６１ｍｍ）であるパレットに固定した梱包体を設計した。この梱包体を用いて、前記の梱包体安定性評価を実施したところ、パレットからのパッケージの脱落は無く、パッケージの繊維の端面には毛羽が２個、側面には毛羽が無く、品位が良好であり、パレットのスチールバンドが外れるといったことも無かった。しかし梱包体に摩擦力が十分に働かず、振動を吸収できなかったため、パッケージが回転し、スチールバンドボルトに緩みが生じた。
【手続補正１４】
【補正対象書類名】明細書
【補正対象項目名】００５０
【補正方法】変更
【補正の内容】
【００５０】
（比較例３）
図１のように、繊維総重量７００ｋｇ、静摩擦係数０．０２、総繊度４００００ｄｔｅｘのポリアクリロニトリル系繊維が円筒状ボビンに巻回されたパッケージを、接地点数が１０箇所、接地点面積率が２．０％、接地箇所を表すｂ／ａが０．２０（ａ＝１２２５ｍｍ、ｂ＝２４５ｍｍ）であるパレットに固定した梱包体を設計した。この梱包体を用いて、前記の梱包体安定性評価を実施したところ、梱包体が大きく振動し、パレットのスチールバンドやスチールバンドボルトが外れ、パッケージが脱落し、パッケージの側面および端面で毛羽が発生した。
【手続補正１５】
【補正対象書類名】明細書
【補正対象項目名】００５１
【補正方法】変更
【補正の内容】
【００５１】
【表１】
2013129452.tif 000001